(57)【特許請求の範囲】
【請求項１】
オフセット輪転印刷装置において、
印刷装置胴を印刷位置と引き離し位置との間で移動させるカウンターポイズ及びリフト装置が設けられており、該カウンターポイズ及びリフト装置が、
第１の端部及び第２の端部を備えた胴を有しており、第１の端部に、軸方向で取付け可能なフォームが、取外し可能に取り付けられており、胴が、第１及び第２の端部において、それぞれ第１の支持ハウジング及び第２の支持ハウジングによって支持されており、
第１の支持ハウジング及び第２の支持ハウジングに結合された引き離し機構を有しており、該引き離し機構が胴を印刷位置から上方へ引き離し位置へ移動させかつ、胴を引き離し位置から下方へ印刷位置へ移動させるようになっており、
胴の第２の端部の外側部分と係合可能なカウンターポイズアセンブリを有しており、第２の支持ハウジングが、胴の第２の端部の内側部分に係合しており、胴が引き離し位置にある場合にカウンターポイズアセンブリが胴の第２の端部に力を加えるようになっており、胴が印刷位置にある場合にはカウンターポイズアセンブリが胴の第２の端部から力を解放するようになっており、
支持装置を有しており、胴が引き離し位置にある場合に前記支持装置が第２の支持ハウジングに係合し、該第２の支持ハウジングを支持するようになっていることを特徴とする、オフセット輪転印刷装置。
【請求項２】
さらに，引き離し位置にある支持装置を支持するスライド装置を有していることを特徴とする，請求項１記載の装置。
【請求項３】
胴は版胴であることを特徴とする，請求項１記載の装置。
【請求項４】
胴はブランケット胴であることを特徴とする，請求項１記載の装置。
【請求項５】
胴は圧胴であることを特徴とする，請求項１記載の装置。
【請求項６】
第１支持ハウジング及び第２支持ハウジングは，それぞれの軸線を中心として印刷位置と引き離し位置との間を旋回することを特徴とする，請求項１記載の装置。
【請求項７】
胴は，グラビア，凹版，活版，フレキソまたは電子結像胴等の像担持胴であることを特徴とする，請求項１記載の装置。
【請求項８】
さらに，１対の調節可能なストップ部材を有しており，その各調節可能なストップ部材は，それぞれの支持ハウジングと係合することによって，胴と隣接の胴との間の圧力を調節するようにしたことを特徴とする，請求項１記載の装置。
【請求項９】
第２支持ハウジングはさらに接触部材を備えており，その接触部材は引き離し位置にある支持装置と係合することを特徴とする，請求項１記載の装置。
【請求項１０】
支持装置にはさらに，引き離し位置において接触部材と係合する接触領域が設けられていることを特徴とする，請求項９記載の装置。
【請求項１１】
接触領域は傾斜表面を備えていることを特徴とする，請求項１０記載の装置。
【請求項１２】
接触部材は，第２支持ハウジングに回転可能に取り付けられており，支持装置が第２支持ハウジングと係合する位置へ移動する時に，その接触部材は接触領域と低摩擦状態で係合するようにしたことを特徴とする，請求項１１記載の装置。
【請求項１３】
支持装置はさらに，支持装置を移動させる作動ユニットを有していることを特徴とする，請求項１記載の装置。
【請求項１４】
作動ユニットは電子制御されることを特徴とする，請求項１３記載の装置。
【請求項１５】
作動ユニットは空気圧シリンダであることを特徴とする，請求項１３記載の装置。
【請求項１６】
作動ユニットはソレノイドであることを特徴とする，請求項１３記載の装置。
【請求項１７】
作動ユニットは油圧アクチュエータであることを特徴とする，請求項１３記載の装置。
【請求項１８】
カウンターポイズアセンブリはさらに，アクチュエータに連結されたカウンターポイズレバーを備えており，このカウンターポイズレバーには，胴の歯車側ジャーナルと係合する円弧形部分が設けられていることを特徴とする，請求項１記載の装置。
【請求項１９】
引き離し機構にはさらに，第１アクチュエータ及び第２アクチュエータと，それぞれ第１アクチュエータ及び第２アクチュエータと第１支持ハウジング及び第２支持ハウジングとの間に連結された第１リンク機構及び第２リンク機構とが設けられていることを特徴とする，請求項１記載の装置。
【請求項２０】
第１支持ハウジング及び第２支持ハウジングは，印刷装置の各側のフレームのところでそれぞれの軸線を中心として旋回可能であることを特徴とする，請求項１記載の装置。
【請求項２１】
さらに，カウンターポイズアセンブリ及び支持装置が係合した後に，第１支持ハウジングを胴の第１端部から解放する解放機構を有していることを特徴とする，請求項１記載の装置。
【発明の詳細な説明】
【０００１】
【発明の属する技術分野】
本発明は，印刷装置内でカウンターポイズされた胴を支持するための装置に関する。
【０００２】
【従来の技術】
米国特許第４，４５８，５９１号明細書は，ブランケット胴及び版胴間の角度をスキュー機構によって変化させるようにした輪転印刷装置を開示している。版胴引き離し機構が，版胴を移動させて，はん胴をブランケット胴から引き離す。版胴が引き離されると，カムがブランケット胴と版胴との間の中心間距離を維持する。しかしこの場合，軸受を解放すること及び一端部で軸受を解放されている印刷装置胴を支持することはは開示または暗示されていない。
【０００３】
米国特許第５，２３７，９２０号明細書は，輪転印刷装置内で胴を支持する装置を示している。印刷装置の軸受部材は，印刷胴の端部から取り外し可能になっている。印刷胴の歯車側ジャーナルに力を加える円弧形部分を備えたレバーを含むカウンターポイズアセンブリが設けられていて，印刷胴のワーク側端部が解放される。カウンターポイズアセンブリの各々は，それぞれのレバーをその係合位置へ移動させ，所属の印刷胴の重量に抗してレバーをその係合位置に保持するトグル部材を備えている。
【０００４】
米国特許第５，２４１，９０５号明細書は，解放可能な軸受クランプを備えた印刷装置を開示している。印刷装置は，フレーム壁に旋回可能に支持されたドアを備えたドアアセンブリを設けている。ドアは，それがフレーム壁内の開口全体に延在する閉鎖位置と，それがフレーム壁内の開口全体に延在しない開放位置とに旋回可能である。ドアが閉鎖位置にある間，クランプアセンブリが印刷装置胴の軸受ハウジングをドア上に固定する。クランプアセンブリには，ドアに固定された第１クランプと，第１クランプに対して移動して開放または閉鎖位置に入るようにドアに支持された第２クランプとが設けられている。閉鎖位置にある場合，第１クランプが第２クランプに当接し，従って印刷装置胴の軸受ハウジングと係合する。第２クランプを開放位置へ移動させることによって，軸受ハウジングが解放される。第２クランプが開放位置にある時，ドアアセンブリはその開放位置へ旋回して，印刷装置胴への接近を可能にして，管状スリーブを交換できるようにする。引き離しの際には，ドアアセンブリは印刷装置胴と共に移動可能である。
【０００５】
米国特許第５，３０１，６０９号明細書は，スキュー及び引き離し機構を備えた印刷装置を開示している。版胴の端部を支持している上下ブラケットが，互いに無関係にフレームに対して横方向にスキュー機構で移動する。引き離し機構は，２つのブラケット間に連結された圧力シリンダ及びピストンロッドを有する。圧力シリンダ及びピストンロッドは，ブラケットに旋回可能に連結されており，ブラケットをスキュー機構が横方向に移動させた時に，ブラケットに対して旋回する。このため，引き離し機構はブラケットを，引き離しのために互いに連結した状態のままで，互いに無関係に傾斜させることができる。
【０００６】
しかし，これらの文献は，引き離された胴からスリーブを軸方向に取り外すことができるようにするため，印刷装置胴にリフト機構を組み込む必要性について述べていない。これら公知の装置では，スリーブ形のフォームを胴から取り外すため，引き離し中に当該の胴を静止させているか，下方へ引き離していた。スリーブの着脱を行う胴を上昇させることはできなかった。
【０００７】
【発明が解決しようとする課題】
本発明の課題は，引き離された胴からスリーブを軸方向に取り外すことができるようにするため，印刷装置胴にリフト機構を組み込むことである。
【０００８】
【課題を解決するための手段】
本発明によれば，処理装置胴を印刷位置と引き離し位置との間で移動させるカウンターポイズ及びリフト装置が提供される。胴は，第１端部及び第２端部を備えており，両端部がそれぞれの支持ハウジングで支持されている。軸方向に取り付け可能なフォーム，例えばスリーブが，胴の第１端部から取り外し可能に取り付けられている。しかし，軸方向に取り付け可能なフォームはスリーブとして形成される必要はない。すなわち連続した管状表面を備えている必要はない。
【０００９】
例えば，胴は，スリーブ形印刷フォームを取り付けた版胴，またはスリーブ形印刷ブランケットを取り付けたブランケット胴にすることができる。引き離し機構が，第１支持ハウジング及び第２支持ハウジングに連結されており，胴を印刷位置から引き離し位置へ上昇させ，また胴を引き離し位置から印刷位置へ降下させる。カウンターポイズアセンブリが，第２支持ハウジングの軸方向外側の点で胴の第２端部と係合できるようになっている。カウンターポイズアセンブリは，胴が引き離し位置にある時に胴の第２端部と係合し，胴が印刷位置にある時に胴の第２端部から離される。支持装置も設けられている。支持装置は，胴が引き離し位置にある時に第２支持ハウジングと係合してそれを支持する。このようにして，胴は，引き離し位置にある間に引き離し機構が故障しても，保護されている。カウンターポイズアセンブリ及び支持装置が係合すると，解放機構が第１支持ハウジングを胴の第１端部から解放して，スリーブを胴から取り外すことができる。
【００１０】
本発明の別の実施例によれば，引き離し機構は，引き離し中にそれぞれの支持ハウジングを上昇させるアクチュエータ（例えば空気圧シリンダ）とリンク機構とを設けている。支持ハウジングは，胴を引き離すことができるように各側のフレームにおいて軸線を中心として旋回可能である。さらに，互いに隣接する胴表面間のニップの圧力を制御するため，調節可能なストッパがそれぞれの支持ハウジングに設けられている。
【００１１】
本発明の更に別の実施例によれば，支持装置は，支持装置が歯車側支持ハウジングから離れている第１位置と，支持装置が作動装置の制御を受けて歯車側支持ハウジングを支持している第２位置との間を水平方向に移動可能である。支持装置を第２位置に支持するため，歯車側フレームに取り付けられたスライド装置を歯車側支持ハウジングの下方に設けることができる。支持装置が第２位置へ移動する時の支持装置と歯車側支持ハウジングとの間の摩擦を低減させるため，歯車側支持ハウジングにカムフォロワ等の接触部材を設けてもよく，また支持装置には，傾斜表面を備えた接触領域を設けることができる。
【００１２】
当業者であれば理解できるように，それぞれ第１支持ハウジング及び第２支持ハウジング用のそれぞれのアクチュエータ，及び支持装置用の作動装置は，の形式で実現できる。例えば，これらの装置を空気圧シリンダ，油圧シリンダまたは他の適当な加圧流体ベースの装置として実現することができる。電動モータ，ソレノイドまたは他の電気制御される装置も適している。
【００１３】
【発明の実施の形態】
図１を参照しながら説明すると，印刷装置１は，上側印字部２と下側印字部２１とを備えている。複数のインキ練りローラ４が，上側インキ溝３から供給されたインキを練る。上側第１胴１９に湿し装置５が設けられている。水着けローラ６及び着けローラ７，８，９が，上側第１胴１９に取り付けられたスリーブ形の管状印刷フォームのような軸方向に取り付け可能なフォームの表面にそれぞれ湿し水またはインキを供給する。ローラ６，７，８，９は，係合位置を取るか離れることができる。すなわち，公知の形式で上側第１胴の表面から引き離すことができる。
【００１４】
支持ハウジング１２の歯車側３２の下方に，調節可能なストップ１４が取り付けられている。調節可能なストップ１４は，上側第１胴１９（例えば印刷胴）と上側第２胴２０（例えばブランケット胴）との間の圧力関係を調節するようにセットすることができる。
【００１５】
支持ハウジング１２の歯車側３２には，鉛直方向に延びるリンク機構１５を介してアクチュエータ１６が連結されている。印刷胴１９の引き離し中にアクチュエータ１６が伸張した時，支持ハウジング１２は歯車側フレーム３２の軸線４２を中心として逆時計回り方向に旋回せしめられる。
【００１６】
さらに，支持ハウジング１２に支持装置１７が設けられている。支持装置１７は，作動装置１８に連結されている。作動装置１８は，空気圧シリンダ，油圧シリンダ，電動モータ，ソレノイドまたは他の適当な装置である。作動装置１８は，支持装置１７を係合位置及び分離位置間で横方向に移動させる。図１には，分離位置にある支持装置が示されている。さらに詳細に後述するように，係合位置では，支持装置１７が引き離し中の支持ハウジング１２を支持する。
【００１７】
図１に示されている構造において，ウェブ４４がウェブ経路４３に沿って上側第２胴２０（例えばブランケット胴）と下側第２胴３０（例えばブランケット胴）との間のニップを通過移動する時，ウェブ４４の両面に印刷される。両胴２０，３０には，スリーブ形の印刷ブランケットが取り付けられている。さらに，上側第１胴１９と下側第１胴２９の各々には，管状の印刷フォームが取り付けられている。図１に示されている印刷装置１と同様な印刷装置を追加してウェブ経路４３に配置してもよい。
【００１８】
下側印字部２１には，下側印字部２１のインキ練りローラ２３にインキを供給する下側インキ溝２２が設けられている。インキ着けローラ２６，２７，２８によって，インキが下側第１胴２９に供給される。湿し装置２４が下側印字部２１に設けられており，下側第１胴２９に取り付けられたスリーブ形の管状印刷フォームに湿し水を水着けローラ２５を介して供給する。
【００１９】
図２は，歯車側フレーム３２とワーク側フレーム３１との間に取り付けられた上側第１胴１９の側面図である。カウンターポイズアセンブリ３５も示されている。図３は，カウンターポイズアセンブリ３５の前面図であり，図４は，ワーク側フレーム３１を詳細に示している。図２〜図４の配置では，第１胴１９が印刷モードにあり，カウンターポイズアセンブリ３５は係合していない。
【００２０】
ワーク側フレーム３１にアクチュエータ１６．１が取り付けられており，リンク機構１５．１がワーク側支持ハウジング１８０に解放可能に連結されている。ワーク側支持ハウジング１８０には，ブラケット１８４及びドア作動アセンブリ１８６に旋回可能に取り付けられたドア１８２が設けられている。ワーク側支持ハウジング１８０は，軸線１８８を中心として旋回可能である。印刷モードでは，ワーク側支持ハウジング１８０は，胴１９を支持している。歯車側フレーム３２では，図１に示されているように，支持ハウジング１２が軸線４２を中心にして旋回可能に歯車側フレーム３２に取り付けられている。アクチュエータ１６，１６．１が作動することによって，支持ハウジング１２，１８０はリンク機構１５，１５．１を介して（図１に示された位置から逆時計回り方向に）軸線４２，１８８を中心として旋回し，上側第１胴１９は上向きの円弧を描いて上側第２胴２０から引き離される。
【００２１】
上側第１胴１９が引き離されると，カウンターポイズ機構３５が作動することができ，次にドア１８２が開いて，スリーブ３３を着脱できるようにする。上側第２胴２０は，この引き離し中は静止している。
【００２２】
図２及び図３を参照しながら説明すると，カウンターポイズ機構３５は，それの分離位置に示されており，空気圧シリンダ等の作動装置３９と，トグルリンク機構３８と，胴ジャーナル３６に近接した円弧形部分３７０を備えたカウンターポイズレバー３７とを有する。カウンターポイズレバー３７は，カウンターポイズフレーム３８０に旋回可能に取り付けられている。この分離位置では，レバー３７の円弧形部分３７０が胴ジャーナル３６に接していない。
【００２３】
図２及び図３と同様に，図５は，歯車側フレーム３２とワーク側フレーム３１との間に取り付けられた第１胴１９と，カウンターポイズ機構３５との側面図である。図６は，カウンターポイズ機構３５の前面図であり，図７は，ワーク側フレーム３１をもっと詳細に示している。しかし，図５〜図７の配置では，上側第１胴１９が非印刷モード（すなわち引き離しモード）にあって，カウンターポイズアセンブリ３５が係合している。
【００２４】
印刷スリーブ３３を取り外すためには，上側第１胴１９を，それぞれワーク側フレーム３１及び歯車側フレーム３２上のアクチュエータ１６及び１６．１を介してその引き離し位置へ移動させる。次に，カウンターポイズアセンブリ３５を作動させて，レバー３７の円弧形部分３７０を胴ジャーナル３６に接触させる。図１に示されているように，スライドプレート３４上に摺動可能に取り付けられている支持装置１７を作動させて，歯車側支持ハウジング１２と係合させることによって，ジャーナル３６及び歯車側支持ハウジング１２をそれぞれの位置に維持する。
【００２５】
上側第１胴１９に対する管状スリーブ３３の着脱を容易にするため，ワーク側フレームに開口３１．１が設けられている。図４及び図７に示されているように，カウンターポイズアセンブリ３５及び支持装置１７を作動させた後，上側第１胴１９のワーク側フレーム３１上の軸受ハウジング１３を解放して，スリーブ３３をワーク側フレーム３１の開口３１．１から取り除くことができるようにする。米国特許第５，２４１，９０５号明細書に詳細に記載されているような解放可能な軸受クランプが，ワーク側フレーム３１の軸受ハウジング１３を解放できるようにしており，これによって軸受けハウジング１３は，図７に示されているように上側第１胴１９のワーク側フレームにおけるスタッブ軸１９０に取り付けられただけの状態になる。
【００２６】
軸受ハウジング１３が解放されてから，ドア１８２をドア作動アセンブリ１８６で開いて，スリーブ３３を開口３１．１を通して着脱させることができる。軸受ハウジング１３を解放した状態では，胴１９は支持ハウジング１２及びカウンターポイズアセンブリ３５によって支持されている。支持ハウジング１２は，アクチュエータ１６及びリンク機構１５によって所定位置に保持されている。支持装置１７及びスライドプレート３４によって，アクチュエータ１６またはリンク機構１５の故障時の胴１９の破損が防止される。作動装置３９を図３及び図６に示されているように構成することによって，作動装置３９が後退して，カウンターポイズアセンブリが係合している間，作動装置３９の故障に対する保護も得られる。実際に，カウンターポイズアセンブリが係合している時に支持装置１７が胴を支持するので，アクチュエータ１６は胴の全重量を支持するように設計する必要もない。
【００２７】
図８は，歯車側支持ハウジング１２をさらに詳細に示している。上側第１胴１９及び上側第２胴２０は印刷モードにある。像が上側第１胴１９から上側第２胴２０に転写され，それから上側第２胴２０と下側第２胴３０との間のニップを通過中のウェブ４４の表面に転写される。このモードでは，着けローラ６，７，８及び９が，それぞれインキまたは湿し水を上側第１胴１９の表面に移送する。支持ハウジング１２は，歯車側フレーム３２の軸線４２を中心として旋回可能に取り付けられている。このモードでは，支持ハウジング１２が，歯車側フレーム３２のスライドプレート３４に調節可能に取り付けられたストップ１４によって支持されている。支持ハウジング１２は，リンク機構１５を介してアクチュエータ１６に連結されている。リンク機構１５は，支持ハウジング１２に軸線１２０を中心として旋回可能に取り付けられている。支持ハウジング１２には，カムフォロワ４０も軸線１２０を中心にして回動可能に取り付けられている。カムフォロワ４０は，くさび形の支持装置１７の傾斜表面領域４１と協働する。作動装置１８が，支持装置１７をカムフォロワ４０と係合する位置及びカムフォロワ４０から離れる位置へ移動させる。例えば，作動装置１６，１６．１，１８及び３９は，空気圧シリンダ，減速歯車機構付きの，または減速歯車機構を設けていない電動モータ，ソレノイド，油圧アクチュエータ，または支持装置１７またはリンク機構１５，１５．１，３８を作動させる適当な他の装置にすることができる。
【００２８】
図９は，引き離し位置にある支持ハウジング１２を示している。インキ着けローラ７，８，９及び水着けローラ６は，通常の手段によって上側第１胴１９の表面から引き離されている。支持ハウジング１２は軸線４２を中心にしてにわずかに旋回して，ストップ１４から離れているので，上側第１胴１９は上側２胴２０またはローラ６〜９と接触していない。
【００２９】
支持ハウジング１２が突然降下するのを防止し，また胴表面の磨耗や破損を防止するため，くさび形の支持装置１７がスライドプレート３４上へ移動している。前述したように，支持装置は作動装置１８によって横方向へ移動する。摩擦を低減させるため，支持装置１７の傾斜部分４１は，軸線１２０を中心にして回動可能に支持ハウジング１２に取り付けられたカムフォロワ４０と接触し，これによって支持ハウジング１２の下側に支持装置１７が係合しやすくなる。
【００３０】
したがって，支持装置１７を作動させると，上側第１胴１９は，歯車側フレーム３２の外側に配置されたカウンターポイズアセンブリ３５によって，また支持ハウジング１２に取り付けられたカムフォロワ４０と係合している支持装置１７によって固定された位置で歯車側フレーム３２において保持される。このため，スリーブの取り外し中に突然の圧力低下がアクチュエータ１６に発生した場合でも，支持ハウジング１２は，支持装置１７によってほぼその引き離し位置に保持される。
【００３１】
下側印字部における引き離しも，例えば米国特許第５，３０１，６０９号明細書に記載されているようにして行うことができる。
【００３２】
図１０は，図１の下側印字部２１用の引き離し機構の一例を示している。この引き離し機構は印刷位置で示されている。図１０を参照すると，下側第１胴２９がブラケット２６０に取り付けられていて，アクチュエータ２２０によって駆動される第１ピストン２１０によって軸線２００を中心として下方へ旋回せしめられて引き離される。下側第２胴３０は，ブラケット２３０に取り付けられている。ブラケット２３０は，ストップ２４０を備えており，軸線２５０を中心として旋回可能に取り付けられている。印刷位置にある時，ピストン２１０はブラケット２６０及び下側第１胴２９を固定保持する。ブラケット２３０及び下側第２胴３０は，ブラケット２６０に当接しているストップ２４０によって固定保持されている。ピストン２１０が伸張すると，ブラケット２６０が下側第１胴２９を軸線２００を中心として旋回させて，引き離し位置へ移動させる。この旋回が行われると，ストップ２７０がブロック２８０と接触するまで，重力の力によってブラケット２３０が下側第２胴３０を時計回り方向に旋回させる。ブラケット２３０の旋回がブロック２８０で停止した後も，ブラケット２６０はピストン２１０から圧力を受けて旋回し続けるため，下側第２胴３０が上側第２胴２０及び下側第１胴２９の両方から分離する。前述したように，上側第１胴１９は，図１〜図９に示されているようにして上側第２胴２０から上方へ引き離される。この引き離し中，上側第２胴２０は静止している。
【００３３】
図１の下側第１胴及び下側第２胴が，それぞれスリーブ形ブランケット及び印刷フォームを受け取る構造である場合，米国特許第５，２３７，９２０号明細書に記載されているようにして，スリーブの着脱中に下側第１胴及び第２胴を支持することができる。図１１を参照しながら説明すると，スリーブの着脱中，上側カウンターポイズアセンブリ３００及び下側カウンターポイズアセンブリ４００が，それぞれ下側第２胴３０及び下側第１胴２９を固定保持する。
【００３４】
上側カウンターポイズアセンブリ３００を係合させる場合，アクチュエータ３１０がピストン３２０を外向きに駆動して，リンクアセンブリ３５０がレバー３３０を軸線３４０を中心として時計回り方向に旋回させることによって，レバー３３０の円弧形部分が下側第２胴３０のジャーナル３６の表面と係合する。下側カウンターポイズアセンブリ４００を係合させる場合，アクチュエータ４１０がピストン４２０を外向きに駆動して，リンクアセンブリ４５０がレバー４３０を軸線４４０を中心として時計回り方向に旋回させることによって，レバー４３０の円弧形部分が下側第１胴２９のジャーナル３６の表面と係合する。上側カウンターポイズアセンブリ及びまたは下側カウンターポイズアセンブリが係合すると，それぞれの胴のワーク側フレーム３１における軸受を解放して，それぞれのスリーブを着脱することができる。上側第１胴，上側第２胴，下側第１胴及び下側第２胴の軸受を解放できる方法の一例が，米国特許第５，２４１，９０５号明細書に十分に記載されている。
【００３５】
図１〜図１１では，上側第１胴が上方へ引き離され，上側第２胴が静止しており，また下側第１胴及び第２胴が下方へ引き離されるようにした両面オフセット平版印刷機が示されている。しかし，本発明はこのような構造に限定されるものではない。例えば，図１，図２，図３，図５，図６，図８及び図９に示されているカウンターポイズ及びリフト装置は，引き離し中に下側第１胴が静止状態に保持され，下側第２胴，上側第２胴及び上側第１胴がすべて上方へ引き離されるようにした印刷装置にも適用できる。
【００３６】
同様に，図１，図２，図３，図５，図６，図８及び図９に示されているカウンターポイズ及びリフト装置は，引き離し中に下側第２胴が静止状態に保持され，上側第２胴及び上側第１胴が上方へ引き離され，下側第１胴が下方へ引き離されるようにした印刷装置にも適用できる。最後に，４個の胴すべてを上方へ引き離すようにしてもよい。本発明はまた，ブランケット胴，版胴及び圧胴を備えた片面オフセット印刷装置にも適用できる。
【００３７】
また，本発明は，オフセット印刷装置での適用に限定されるものではない。本発明は，スリーブ取り付け胴を有するいずれの印刷装置にも適用できる。例えば，本発明によるカウンターポイズ及びリフト装置は，グラビア，凹版，活版，フレキソまたは電子結像胴等の他の像担持胴に適用することもできる。
【図面の簡単な説明】
【図１】オフセット印刷装置の全体断面図である。
【図２】印刷モードにある図１の印刷装置の上側印字部の印刷胴を示した図である。
【図３】非係合位置にあるカウンターポイズ機構を示した図である。
【図４】閉鎖位置にある解放可能な軸受クランプを示した図である。
【図５】引き離しモードにある図１の印刷装置の上側印字部の印刷胴を示した図である。
【図６】係合位置にあるカウンターポイズ機構を示した図である。
【図７】開放位置にある解放可能な軸受クランプとを示した図である。
【図８】カウンターポイズ機構及び支持装置が非係合位置にある時の図１の印刷装置の上側印字部の拡大断面図である。
【図９】カウンターポイズ機構及び支持装置が係合位置にある時の図１の印刷装置の上側印字部の拡大断面図である。
【図１０】図１の下側印字部用の引き離し機構の一例を示した図である。
【図１１】図１の下側印字部用のカウンターポイズ機構の一例を示した図である。
【符号の説明】
１  印刷装置，  ２  上側印字部，  ３  上側インキ溝，  ４  インキ練りローラ，  ５  湿し装置，  ６  水着けローラ，  ７・８・９  着けローラ，  １２  （歯車側）支持ハウジング，  １３  軸受ハウジング，  １４  ストップ，１５・１５．１  リンク機構，  １６・１６．１  アクチュエータ，作動装置，  １７  支持装置，  １８  作動装置，  １９  上側第１胴，  ２０  上側第２胴，  ２１  下側印字部，  ２２  下側インキ溝，  ２３  インキ練りローラ，  ２４  湿し装置，  ２５  水着けローラ，  ２６・２７・２８  インキ着けローラ，  ２９  下側第１胴，  ３０  下側第２胴，  ３１  ワーク側フレーム，  ３１．１  開口，  ３２  歯車側，歯車側フレーム，  ３３  （印刷）スリーブ，  ３４  スライドプレート，  ３５  カウンターポイズアセンブリ，カウンタポイズ機構，  ３６  （胴）ジャーナル，  ３７  カウンターポイズレバー，  ３８  トグルリンク機構，  ３９  作動装置，  ４０  カムフォロワ，  ４１  傾斜表面領域，  ４２  軸線，  ４３  ウェブ経路，  ４４  ウェブ，  １２０  軸線，  １８０  （ワーク側）支持ハウジング，  １８２  ドア，  １８４  ブラケット，  １８６  ドア作動アセンブリ，  １８８  軸線，  １９０  スタッブ軸，  ２００  軸線，  ２１０  ピストン，  ２２０  アクチュエータ，  ２３０  ブラケット，  ２４０  ストップ，  ２５０  軸線，  ２６０  ブラケット，  ２７０  ストップ，  ２８０  ブロック，  ３００  上側カウンターポイズアセンブリ，  ３１０  アクチュエータ，  ３２０  ピストン，  ３３０  レバー，  ３４０  軸線，  ３５０  リンクアセンブリ，  ３７０  円弧形部分，  ３８０  カウンターポイズフレーム，  ４００  下側カウンターポイズアセンブリ，  ４１０  アクチュエータ，  ４２０  ピストン，  ４３０  レバー，  ４４０  軸線，  ４５０  リンクアセンブリ
【図１】
0003863953.tif 000002
【図２】
0003863953.tif 000003
【図３】
0003863953.tif 000004
【図４】
0003863953.tif 000005
【図５】
0003863953.tif 000006
【図６】
0003863953.tif 000007
【図７】
0003863953.tif 000008
【図８】
0003863953.tif 000009
【図９】
0003863953.tif 000010
【図１０】
0003863953.tif 000011
【図１１】
0003863953.tif 000012